(57)【要約】【課題】ネットが巻取軸に巻き取られたときの中間部分のだぶつきをなくし、該ネットの巻き取りを円滑かつ確実に行うことができるようにする。【解決手段】巻取ボックス２の内部の巻取軸３に巻き取られたり該巻取軸３から繰り出されたりすることにより開閉されるネット１と、該ネット１の幅方向の両側端部が嵌合するガイド溝１３を備えたネットガイド４とを有し、前記ネット１の両側端部に係止体１４が取り付けられ、該係止体１４が前記ガイド溝１３に抜止状態に係合しているロール網戸において、前記ネット１の幅方向の中間部に線状部材２３を該ネット１の長さ方向に取り付けることにより、該ネット１が前記巻取軸３に巻き取られたときの中間部の巻径を両側端部の巻径に近づける。【選択図】図１
2012057344.tif 000002
【特許請求の範囲】
【請求項１】
巻取ボックスの内部の巻取軸と、該巻取軸に長さ方向の一端を連結され、該巻取軸に巻き取られたり該巻取軸から繰り出されたりすることにより開閉されるネットと、該ネットの幅方向の両側端部が嵌合するガイド溝を備えたネットガイドとを有し、前記ネットの両側端部に該ネットより厚みの大きい係止体が取り付けられ、該係止体が前記ガイド溝に抜止状態に係合しているロール網戸において、
前記ネットの幅方向の中間部に線状部材が該ネットの長さ方向に取り付けられることにより、前記巻取軸に巻き取られたときのネットの中間部分の巻径が両側端部の巻径に近づけられたことを特徴とするロール網戸。
【請求項２】
前記線状部材は、前記ネットの表面又は裏面に該ネットの長さ方向に連続して取り付けられていることを特徴とする請求項１に記載のロール網戸。
【請求項３】
前記線状部材の巻重ね方向の径は、前記ネットを形成する細線の径より大きいが前記係止体の巻重ね方向の径より小さいことを特徴とする請求項１又は２に記載のロール網戸。
【請求項４】
前記線状部材が前記ネットの幅方向の中央に１筋配設されていることを特徴とする請求項１から３の何れかに記載のロール網戸。
【発明の詳細な説明】
【技術分野】
【０００１】
本発明は、防虫用のロール網戸に関するものであり、更に詳しくは、巻取軸に巻き取られたり該巻取軸から繰り出されたりすることにより開閉されるネットの両側端部に係止体を取り付け、該係止体をネットガイドのガイド溝に抜止状態に係合させたロール網戸に関するものである。
【背景技術】
【０００２】
一般にロール網戸は、例えば特許文献１や特許文献２等に開示されているように、巻取軸に巻き取られたり該巻取軸から繰り出されたりすることにより開閉される防虫用のネットを有し、該ネットの両側端部に係止体が取り付けられ、該係止体がネットガイドのガイド溝に抜止状態に係合することにより、該ネットの両側端部とネットガイドとの間に隙間が形成されないようにした状態で該ネットが前記ガイドネットに案内されて開閉されるように構成されている。
【０００３】
前記係止体は、通常、スライドファスナーの互いに噛み合う噛合片により形成されている。即ち、前記スライドファスナーは、多数の噛合片を布テープの端縁に一定間隔で取り付けた一対のファスナーテープにより形成されていて、このファスナーテープが前記ネットの両側端部にそれぞれ取り付けられることにより、前記噛合片で前記係止体が形成されている。そして、前記布テープが前記ガイド溝内に嵌合し、前記係止体が該ガイド溝の溝縁にネットガイドの内側から係止している。
【０００４】
ここで、前記布テープは、ネットとの連結のため該ネットより少し厚めに形成されており、また、前記係止体も、前記ガイド溝から抜け出さないように該布テープより更に厚みが大きく形成されている。このため、前記ネットが巻取軸に巻き取られるとき、該ネットの両側端部の巻径が最も大きくなり、ネットのみからなる薄くて柔軟な中間部分は両側端部の巻径に追随する形で巻き取られることになるため、該中間部分がだぶついて波打つなどしてうまく巻き取られず、このだぶついた中間部分が巻取ボックスから溢れて外部にはみ出してしまうという不都合を生じることがあった。
【先行技術文献】
【特許文献】
【０００５】
【特許文献１】実開平２−１２２８９０号公報
【特許文献２】実開平４−４５８９４号公報
【発明の概要】
【発明が解決しようとする課題】
【０００６】
本発明の目的は、ネットが巻取軸に巻き取られたときの中間部分のだぶつきをなくし、該ネットの巻き取りを円滑かつ確実に行うことができるようにすることにある。
【課題を解決するための手段】
【０００７】
前記目的を達成するため、本発明によれば、巻取ボックスの内部の巻取軸と、該巻取軸に長さ方向の一端を連結され、該巻取軸に巻き取られたり該巻取軸から繰り出されたりすることにより開閉されるネットと、該ネットの幅方向の両側端部が嵌合するガイド溝を備えたネットガイドとを有し、前記ネットの両側端部に該ネットより厚みの大きい係止体が取り付けられ、該係止体が前記ガイド溝に抜止状態に係合しているロール網戸において、前記ネットの幅方向の中間部に線状部材が該ネットの長さ方向に取り付けられることにより、前記巻取軸に巻き取られたときのネットの中間部分の巻径が両側端部の巻径に近づけられたことを特徴とするロール網戸が提供される。
【０００８】
本発明において好ましくは、前記線状部材が、前記ネットの表面又は裏面に該ネットの長さ方向に連続して取り付けられていることである。
また、前記線状部材の巻重ね方向の径は、前記ネットを形成する細線の径より大きいが前記係止体の巻重ね方向の径より小さいことが望ましい。
更に、前記線状部材は、前記ネットの幅方向の中央に１筋配設されていても良い。
【発明の効果】
【０００９】
本発明によれば、ネットの幅方向の中間位置に線状部材を取り付けたことにより、該ネットが巻取軸に巻き取られたときの該ネットの中間位置の巻径を両側端部の巻径に近づけたので、前記ネットの巻取時に、該ネットの中間部分が両側端部の巻径に追随する形で不安定な状態で巻き取られることがなくなり、該中間部分がだぶついたり、だぶついた中間部分が巻取ボックスからはみ出すといったような不都合が完全に解消される。
【図面の簡単な説明】
【００１０】
【図１】本発明に係るロール網戸の一実施形態を示す正面図である。
【図２】図１のII−II線に沿った断面図である。
【図３】図１のIII−III線に沿った断面図である。
【図４】図２の部分拡大図である。
【図５】ネットの部分拡大断面である。
【図６】ネットが巻取軸に巻き取られた状態の斜視図である。
【図７】図５の中心軸線に沿った断面図である。
【発明を実施するための形態】
【００１１】
図１−図３は本発明に係るロール網戸の一実施形態を示すもので、このロール網戸は、ネット１を上下方向に開閉する縦開き式の網戸である。このロール網戸は、巻取ボックス２の内部に水平に配設された巻取軸３と、前記巻取ボックス２の左右両端部に下向きに延在するように連結されたネットガイド４と、前記巻取軸３に長さ方向の一端即ち上端を連結され、該巻取軸３に巻き取られたり該巻取軸３から繰り出されたりすることによって開閉される防虫用の前記ネット１とを有している。
【００１２】
前記巻取ボックス２は、アルミニウムなどの金属又は合成樹脂によって形成されたもので、略矩形の断面形状を有し、その中心部に前記巻取軸３が水平軸Ｌを回転中心として回転自在なるように収容されている。該巻取ボックス２の下面には、前後一端寄りの位置に該巻取ボックス２の長さ方向に延びるネット導出口５が形成され、該ネット導出口５から前記ネット１が下向きに導出されている。
【００１３】
前記巻取軸３の左右両端にはプーリ６が取り付けられ、何れか一方のプーリ６に操作紐７が巻き掛けられ、該操作紐７を上下に引いて前記巻取軸３を正逆に回転させることにより、前記ネット１が該巻取軸３に巻き取られたり該巻取軸３から繰り出されたりして上下方向に開閉されるようになっている。
なお、前記プーリ６を巻取軸３の左右両端に取り付ける理由は、網戸の設置場所に応じて使い勝手が良い方のリールを選択的に使用できるようにするためであるが、使用しないプーリ６は省略しても良い。
【００１４】
前記ネットガイド４は、図４からも分かるように、矩形の中空部１０ａを有するアウターガイド１０と、該アウターガイド１０の前記中空部１０ａ内に嵌合するインナーガイド１１とで構成されている。
前記アウターガイド１０は、アルミニウムなどの金属又は合成樹脂によって形成され、該アウターガイド１０の内側面即ち前記ネット１の側端部に面する内側面には、該アウターガイド１０の長さ方向に延びる開口部１２が形成されている。
【００１５】
前記インナーガイド１１は、アルミニウムなどの金属又は合成樹脂によって中空状に形成され、前記アウターガイド１０の開口部１２の幅より幅広に形成されることにより、該開口部１２の口縁に係止して前記アウターガイド１０の外側に抜け出さないようになっており、該インナーガイド１１の前記開口部１２側の内側面には、該インナーガイド１１の長さ方向に延びる細幅のガイド溝１３が形成されている。
【００１６】
前記ネット１は、合成樹脂製の細線１ａを縦横に組み合わせ、織ったり、接着剤や熱溶着等の手段で相互に接着したりすることにより、蚊などの小さな虫が進入できない程度に小さな網目を有するように形成されたものである。該ネット１の幅方向即ち左右方向の両側端部には、該ネット１より厚みの大きい多数の係止体１４が一定間隔で取り付けられ、該係止体１４が前記インナーガイド１１の中空部１１ａ内に嵌合し、該中空部１１ａ側から前記ガイド溝１３の溝縁に抜止状態に係合している。
【００１７】
前記ネット１の下端部にはボトムレール１７が取り付けられている。このボトムレール１７は、前記ネット１の下端部を挟持するアルミニウムなどの金属製又は合成樹脂製のバー状をしたレール本体１８と、該レール本体１８の下端部に取り付けられたゴム等の弾性部材からなる緩衝体１９と、前記レール本体１８の左右両端部に取り付けられた金属製又は合成樹脂製のサイドキャップ２０とで構成されている。該サイドキャップ２０の側面には薄幅の嵌合部２０ａが形成され、該嵌合部２０ａが前記ネットガイド４におけるアウターガイド１０の開口部１２内に嵌合し、前記ネット１の開閉時に該ボトムレール１７が前記ネットガイド４に沿って上下動するようになっている。
【００１８】
前記係止体１４は、合成樹脂製の小片からなるもので、多数の小片が一定間隔で端縁に取り付けられた布テープ１５を前記ネット１の端部に取り付けることにより、該ネット１の端縁に前記係止体１４が形成されている。
【００１９】
前記係止体１４は、スライドファスナーの互いに噛み合う噛合片により形成することができる。即ち、スライドファスナーは、一般に、多数の噛合片を布テープの端縁に一定間隔で取り付けた一対のファスナーテープにより形成されているので、何れか一方のファスナーテープを前記ネット１の両側端部にそれぞれ取り付けることにより、前記噛合片で前記係止体１４を形成することができる。
【００２０】
前記布テープ１５は、前記ネット１との連結のため該ネット１より少し厚めに形成されており、また、前記係止体１４も、前記ガイド溝１３から抜け出さないように該布テープ１５より更に厚みが大きく形成されている。このため、前記ネット１が巻取軸３に巻き取られるとき、該ネット１の両側端部の巻径が最も大きくなり、該ネット１の前記細線１ａのみからなる中間部分の巻径はそれより小さくなる。そして、この巻径の差により、ネット１の薄くて柔軟な中間部分は、両側端部の巻径に追随する形で不安定な状態で巻き取られることになるため、該中間部分はだぶつき、だぶついた中間部分が巻取ボックス２からはみ出すことがある。
【００２１】
これを防止するため、前記ネット１には、図５からも分かるように、その幅方向の中間部に、巻径調整用の線状部材２３が、該ネット１の長さ方向に全長にわたり取り付けられている。
前記線状部材２３は、合成樹脂により形成されていて、図示の例では、前記ネット１の幅方向の中央位置に１筋の線状部材２３が、接着剤や熱溶着等で接着したり、ネット１に織り込んだりすることにより、該ネット１の長さ方向に正面視で直線をなすように連続して取り付けられている。この線状部材２３は、ネット１の表裏両面に設けることもできるが、表裏両面の同じ位置に線状部材２３があると、ネット１を巻き重ねた場合に、表面側の線状部材２３と裏面側の線状部材２３とが直接当接し合うこととなってそれらが左右に位置ずれし、その影響でネット１が左右に位置ずれしながら巻かれるおそれがあるため、図４に示すようにネット１の表面だけ又は裏面だけに設けることが望ましい。
【００２２】
前記線状部材２３の厚み（巻重ね方向の径）Ａは、前記細線１ａの径Ｂより大きいが前記係止体１４の厚み（巻重ね方向の径）より若干小さいことが望ましく、図示の例では、前記線状部材２３の厚みＡが、前記ネット１の厚みＣと同等かそれより若干大きく形成されている。
【００２３】
このような線状部材２３をネット１に取り付けることにより、該ネット１の中間部の剛性が高められると同時に、図５及び図６に示すように、該ネット１が巻取軸３に巻き取られたとき、前記線状部材２３が巻き重ねられることによって該ネット１の中間部の巻径が両側端部の巻径とほぼ等しいかそれより僅かに小さい程度にまで大きくなり、それらの径差が縮小される。換言すれば、前記ネット１の中間部の巻径と両側端部の巻径とが互いに近似した大きさになる。
この結果、ネット１の巻取時に、該ネット１の中間部が両側端部の巻径に追随する形で不安定な状態で巻き取られることがなくなり、該中間部がだぶついたり、だぶついた中間部が巻取ボックス２からはみ出すといったような不都合は完全に解消される。
【００２４】
前記線状部材２３は、ネット１を形成する細線１ａと同じ素材で形成することも、異なる素材で形成することも、あるいは合成樹脂以外の素材で形成することもできる。前記線状部材２３を細線１ａと同じ素材で形成した場合には、該細線１ａと同様の柔軟性を持つことになるが、その径Ａは細線１ａの径Ｂより大きいため、該細線１ａよりは剛性が当然大きくなる。前記線状部材２３を前記細線１ａと異なる素材で形成した場合にも、前記細線１ａより剛性を大きくすることが望ましい。
【００２５】
また、前記線状部材２３は、様々な断面形状を有することができ、その断面形状は、図示したように円形であっても、楕円形であっても、あるいは矩形やその他の角形であっても良い。断面形状を矩形にする場合には、横長形状にすることによって該線状部材２３をテープ状に形成することもできる。
さらに、前記線状部材２３は、単線であっても、複数の線材を撚り合わせたり編んだりして結束したものであっても良い。
【００２６】
前記線状部材２３は、ネット１の幅方向の中間部に適宜間隔で複数筋設けることもできる。例えば、ネット１を幅方向にほぼ３等分する位置に２筋の線状部材２３を平行に配設することも可能であり、ネット１を幅方向にほぼ４等分する位置に３筋の線状部材２３を平行に配設することも可能である。このように線状部材２３を複数筋設ける場合には、全ての線状部材２３をネット１の表面又は裏面の同じ面に設けても良いが、隣接するものが互いに異なる面にあるように互い違いに設けることもできる。
【００２７】
なお、図１に示す実施形態では、ネット１の両側端部の巻径をできるだけ小さくするため、巻取軸３の長さをネット１の幅より短く形成することにより、該巻取軸３から外れた位置で前記係止体１４が巻き取られるようにしているが、該係止体１４の厚みがそれほど大きくない場合には、巻取軸３の長さをネット１の幅とほぼ同じに形成し、該巻取軸３上で前記係止体１４が巻き取られるようにしても良い。図６及び図７はこのような場合を例示している。
【００２８】
また、前記実施形態は、前記操作紐７を上下動させて巻取軸３を正逆に回転させることにより手動操作でネット１を開閉する構成であるが、コイルバネを駆動源としてネット１を自動的に巻き取るように構成することもできる。即ち、前記巻取軸３にコイルバネを内蔵し、ネット１を引き出すときの巻取軸３の回転によって該コイルバネが捻られてエネルギーが蓄えられるようにし、このときのエネルギーを駆動源として前記ネット１が巻き取られるように構成することもできる。
【００２９】
更に、前記実施形態では、ネットを上下方向に開閉する縦開き式のロール網戸が示されているが、本発明は、ネットを水平方向に開閉する横開き式のロール網戸にも適用することができる。
【符号の説明】
【００３０】
１      ネット
２      巻取ボックス
３      巻取軸
４      ネットガイド
１３      ガイド溝
１４      係止体
【図１】
2012057344.tif 000003
【図２】
2012057344.tif 000004
【図３】
2012057344.tif 000005
【図４】
2012057344.tif 000006
【図５】
2012057344.tif 000007
【図６】
2012057344.tif 000008
【図７】
2012057344.tif 000009